(57)【特許請求の範囲】
【請求項１】
第２の無線通信装置と無線接続される第１の無線通信装置であって、
特定のデータを通信するための無線設定情報に従った無線接続を利用して、前記第２の無線通信装置と前記特定のデータを通信する通信部と、
前記特定のデータを通信するための前記無線設定情報として、前記第１の無線通信装置に現在設定されている第１の無線設定情報を、第２の無線設定情報に変更するための指示が入力される場合に、前記第１の無線設定情報に従った第１の無線接続を利用して、前記第２の無線設定情報を前記第２の無線通信装置に送信する第１の送信部であって、前記第１の無線設定情報は、アクセスポイントを介さない直接的な無線通信のための無線設定情報であり、前記第２の無線設定情報は、前記アクセスポイントを介する無線通信のための無線設定情報である、前記第１の送信部と、
前記第１の無線接続を利用して、前記第２の無線通信装置から所定の信号が受信される場合に、前記特定のデータを通信するための前記無線設定情報として、前記第２の無線設定情報を新たに設定し、
前記第１の無線接続を利用して、前記第２の無線通信装置から前記所定の信号が受信されない場合に、前記特定のデータを通信するための前記無線設定情報として、前記第１の無線設定情報を維持する設定部であって、
前記所定の信号は、前記第２の無線通信装置が、前記アクセスポイントとの間で前記第２の無線設定情報に従った無線接続を構築することを試行して、前記アクセスポイントから前記試行が成功したことを示す成功情報を受信する場合に、前記第１の無線接続を利用して、前記第１の無線通信装置に送信する信号である、前記設定部と、
を備える第１の無線通信装置。
【請求項２】
前記設定部は、前記第１の無線接続を利用して、前記第２の無線通信装置から前記所定の信号と異なる他の信号が受信される場合に、前記特定のデータを通信するための前記無線設定情報として、前記第１の無線設定情報を維持し、
前記他の信号は、前記第２の無線通信装置が、前記アクセスポイントとの間で前記第２の無線設定情報に従った無線接続を構築することを試行して、前記アクセスポイントから前記成功情報を受信しない場合に、前記第１の無線接続を利用して、前記第１の無線通信装置に送信する信号である、請求項１に記載の第１の無線通信装置。
【請求項３】
前記第２の無線通信装置は、前記第１の無線通信装置の付属機である、請求項１又は２に記載の第１の無線通信装置。
【請求項４】
前記通信部が、前記特定のデータを通信するための前記無線設定情報に従った前記無線接続を利用して、前記第２の無線通信装置から前記特定のデータを受信する場合に、前記特定のデータを用いて、印刷実行部に印刷を実行させる印刷制御部をさらに備える請求項１から３のいずれか一項に記載の第１の無線通信装置。
【請求項５】
第２の無線通信装置と無線接続される第１の無線通信装置のためのコンピュータプログラムであって、
前記第１の無線通信装置に搭載されるコンピュータに、以下の各処理、即ち、
特定のデータを通信するための無線設定情報に従った無線接続を利用して、前記第２の無線通信装置と前記特定のデータを通信する通信処理と、
前記特定のデータを通信するための前記無線設定情報として、前記第１の無線通信装置に現在設定されている第１の無線設定情報を、第２の無線設定情報に変更するための指示が入力される場合に、前記第１の無線設定情報に従った第１の無線接続を利用して、前記第２の無線設定情報を前記第２の無線通信装置に送信する第１の送信処理であって、前記第１の無線設定情報は、アクセスポイントを介さない直接的な無線通信のための無線設定情報であり、前記第２の無線設定情報は、前記アクセスポイントを介する無線通信のための無線設定情報である、前記第１の送信処理と、
前記第１の無線接続を利用して、前記第２の無線通信装置から所定の信号が受信される場合に、前記特定のデータを通信するための前記無線設定情報として、前記第２の無線設定情報を新たに設定し、
前記第１の無線接続を利用して、前記第２の無線通信装置から前記所定の信号が受信されない場合に、前記特定のデータを通信するための前記無線設定情報として、前記第１の無線設定情報を維持する設定処理であって、
前記所定の信号は、前記第２の無線通信装置が、前記アクセスポイントとの間で前記第２の無線設定情報に従った無線接続を構築することを試行して、前記アクセスポイントから前記試行が成功したことを示す成功情報を受信する場合に、前記第１の無線接続を利用して、前記第１の無線通信装置に送信する信号である、前記設定処理と
を実行させるコンピュータプログラム。
【請求項６】
前記設定処理では、前記第１の無線接続を利用して、前記第２の無線通信装置から前記所定の信号と異なる他の信号が受信される場合に、前記特定のデータを通信するための前記無線設定情報として、前記第１の無線設定情報を維持し、
前記他の信号は、前記第２の無線通信装置が、前記アクセスポイントとの間で前記第２の無線設定情報に従った無線接続を構築することを試行して、前記アクセスポイントから前記成功情報を受信しない場合に、前記第１の無線接続を利用して、前記第１の無線通信装置に送信する信号である、請求項５に記載のコンピュータプログラム。
【請求項７】
第１の無線通信装置と無線接続される第２の無線通信装置であって、
特定のデータを送信するための無線設定情報に従った無線接続を利用して、前記第１の無線通信装置と前記特定のデータを通信する通信部と、
前記特定のデータを通信するための前記無線設定情報として前記第２の無線通信装置に現在設定されている第１の無線設定情報に従った第１の無線接続を利用して、前記第１の無線設定情報と異なる第２の無線設定情報を前記第１の無線通信装置から受信する受信部と、
前記第２の無線設定情報が、アクセスポイントを介する無線通信のための無線設定情報である場合に、前記第１の無線接続に代えて、前記アクセスポイントとの間で前記第２の無線設定情報に従った第２の無線接続を構築することを試行する試行部と、
前記アクセスポイントから前記試行が成功したことを示す成功情報が受信される場合に、前記第１の無線接続を利用して、所定の信号を前記第１の無線通信装置に送信し、
前記アクセスポイントから前記成功情報が受信されない場合に、前記第１の無線接続を利用して、前記所定の信号と異なる他の信号を前記第１の無線通信装置に送信する送信部と、
前記所定の信号を前記第１の無線通信装置に送信する場合に、前記特定のデータを通信するための前記無線設定情報として、前記第２の無線通信情報を新たに設定し、
前記所定の信号を前記第１の無線通信装置に送信しない場合に、前記特定のデータを通信するための前記無線設定情報として、前記第１の無線設定情報を維持する設定部と、
を備える第２の無線通信装置。
【発明の詳細な説明】
【技術分野】
【０００１】
本明細書では、他の無線通信装置と無線通信する無線通信装置を開示する。
【背景技術】
【０００２】
例えば、特許文献１には、親機と子機との間で無線通信する無線電話機が開示されている。親機と子機とは、アクセスポイントを介さずに、直接的に無線通信する。即ち、特許文献１には、アドホックの無線通信技術が開示されている。なお、一対の無線通信装置が、アクセスポイントを介して、間接的に無線通信する技術も知られている。即ち、インフラストラクチャの無線通信技術も知られている。
【先行技術文献】
【特許文献】
【０００３】
【特許文献１】特開平６−６９８７０号公報
【発明の概要】
【発明が解決しようとする課題】
【０００４】
アドホックの無線通信技術でも、インフラストラクチャの無線通信技術でも、一対の無線通信装置が適切に無線通信するためには、一対の無線通信装置のそれぞれに同じ無線設定情報（例えば、認証方式、暗号化方式等）を設定する必要がある。即ち、一対の無線通信装置に異なる無線設定情報が設定された状態では、一対の無線通信装置が適切に無線通信することができない。本明細書では、一対の無線通信装置が適切に無線通信することができない事象が発生するのを抑制する技術を提供する。
【課題を解決するための手段】
【０００５】
本発明は、第２の無線通信装置と無線接続される第１の無線通信装置であって、特定のデータを通信するための無線設定情報に従った無線接続を利用して、前記第２の無線通信装置と前記特定のデータを通信する通信部と、前記特定のデータを通信するための前記無線設定情報として、前記第１の無線通信装置に現在設定されている第１の無線設定情報を、第２の無線設定情報に変更するための指示が入力される場合に、前記第１の無線設定情報に従った第１の無線接続を利用して、前記第２の無線設定情報を前記第２の無線通信装置に送信する第１の送信部と、前記第１の無線接続を利用して、前記第２の無線通信装置から所定の信号が受信される場合に、前記特定のデータを通信するための前記無線設定情報として、前記第２の無線設定情報を新たに設定し、前記第１の無線接続を利用して、前記第２の無線通信装置から前記所定の信号が受信されない場合に、前記特定のデータを通信するための前記無線設定情報として、前記第１の無線設定情報を維持する設定部であって、前記所定の信号は、前記第２の無線通信装置が、前記第２の無線通信装置に現在設定されている前記第１の無線設定情報を前記第２の無線設定情報に変更する際に、前記第１の無線接続を利用して、前記第１の無線通信装置に送信する信号である、前記設定部と、を備える第１の無線通信装置である。
また、本発明は、第１の無線通信装置と無線接続される第２の無線通信装置であって、特定のデータを送信するための無線設定情報に従った無線接続を利用して、前記第１の無線通信装置と前記特定のデータを通信する通信部と、前記特定のデータを通信するための前記無線設定情報として前記第２の無線通信装置に現在設定されている第１の無線設定情報に従った第１の無線接続を利用して、前記第１の無線情報と異なる第２の無線設定情報を前記第１の無線通信装置から受信する受信部と、前記第２の無線通信装置に現在設定されている前記第１の無線設定情報を前記第２の無線設定情報に変更しない場合には、所定の信号を前記第１の無線通信装置に送信せずに、前記第２の無線通信装置に現在設定されている前記第１の無線設定情報を前記２の無線設定情報に変更する際に、前記第１の無線接続を利用して、前記所定の信号を前記第１の無線通信装置に送信する送信部と、前記所定の信号を前記第１の無線通信装置に送信する場合に、前記特定のデータを通信するための前記無線設定情報として、前記第２の無線通信情報を新たに設定し、前記所定の信号を前記第１の無線通信装置に送信しない場合に、前記特定のデータを通信するための前記無線設定情報として、前記第１の無線設定情報を維持する設定部と、を備える第２の無線通信装置である。
本明細書では、一つの形態として、第２の無線通信装置と無線接続される第１の無線通信装置を開示する。第１の無線通信装置は、通信部と、第１の送信部と、設定部と、を備える。通信部は、特定のデータを通信するための無線設定情報に従った無線接続を利用して、第２の無線通信装置と上記の特定のデータを通信する。第１の送信部は、上記の特定のデータを通信するための無線設定情報として、第１の無線通信装置に現在設定されている第１の無線設定情報を、第２の無線設定情報に変更するための指示が入力される場合に、第１の無線設定情報に従った第１の無線接続を利用して、第２の無線設定情報を第２の無線通信装置に送信する。設定部は、第２の無線通信装置が、第２の無線通信装置に現在設定されている第１の無線設定情報を第２の無線設定情報に変更する際に、第１の無線通信装置に送信する所定の信号が受信される場合に、上記の特定のデータを通信するための無線設定情報として、第２の無線設定情報を新たに設定する。設定部は、上記の所定の信号が受信されない場合に、上記の特定のデータを通信するための無線設定情報として、第１の無線設定情報を維持する。
【０００６】
仮に、第１の無線通信装置が、第２の無線設定情報を第２の無線通信装置に送信した後に、上記の所定の信号の受信の有無に関わらず、第１の無線設定情報から第２の無線設定情報に設定変更を行なう構成（以下では「特定の構成」と呼ぶ）を採用すると、以下の問題が発生し得る。第１の無線通信装置が上記の所定の信号を受信しない状況では、第２の無線通信装置が、第１無線設定情報から第２の無線設定情報に適切に設定変更を行なうことが保証されない。従って、上記の特定の構成では、第１の無線通信装置が、第２の無線設定情報に設定変更を行なうが、第２の無線通信装置が、設定変更を行なわずに第１の無線設定情報を維持する事象が発生し得る。この場合、第１及び第２の無線通信装置に異なる無線設定情報が設定されるために、第１及び第２の無線通信装置は、上記の特定のデータを無線通信することができない。これに対し、本明細書によって開示される第１の無線通信装置は、上記の所定の信号が受信される場合、即ち、第２の無線通信装置が第２の無線設定情報に設定変更を行なうことが確認される場合に、第２の無線設定情報に設定変更を行なう。一方において、第１の無線通信装置は、上記の所定の信号が受信されない場合、即ち、第２の無線通信装置が第２の無線設定情報に設定変更を行なうことが確認されない場合に、第１の無線設定情報を維持する。これにより、第１及び第２の無線通信装置に異なる無線設定情報が設定されることを抑制することができる。従って、上記の特定の構成と比べると、第１及び第２の無線通信装置が上記の特定のデータを無線通信することができない事象が発生するのを抑制することができる。
【０００７】
第１の無線通信装置は、第２の無線設定情報が、アクセスポイントを介する無線通信のための無線設定情報である場合に、第１の無線接続に代えて、アクセスポイントとの間で第２の無線設定情報に従った第２の無線接続を構築することを試行する試行部をさらに備えていてもよい。設定部は、アクセスポイントから上記の試行が成功したことを示す成功情報が受信される場合であり、かつ、上記の所定の信号が受信される場合に、上記の特定のデータを通信するための無線設定情報として、第２の無線設定情報を新たに設定してもよい。仮に、第１及び第２の無線通信装置に同じ第２の無線設定情報が設定されても、第１の無線通信装置とアクセスポイントとの間で第２の無線接続が適切に構築されない場合には、第１及び第２の無線通信装置は、アクセスポイントを介して、上記の特定のデータを無線通信することができない。このような事象が発生するのを抑制するために、上記の技術では、第１の無線通信装置は、アクセスポイントから成功情報が受信される場合、即ち、第１の無線通信装置とアクセスポイントとの間で第２の無線接続が構築されることが確認される場合に、第２の無線設定情報に設定変更を行なう。この構成によると、第１及び第２の無線通信装置が上記の特定のデータを無線通信することができない事象が発生するのをより効果的に抑制することができる。
【０００８】
第１の送信部は、上記の指示が入力されても、アクセスポイントから成功情報が受信されない場合に、第２の無線設定情報を第２の無線通信装置に送信しなくてもよい。この構成によると、第１の無線通信装置は、アクセスポイントから成功情報が受信されない場合に、第２の無線設定情報を第２の無線通信装置に送信しないために、第２の無線通信装置は、第２の無線設定情報に設定変更を行なわず、第１の無線設定情報を維持する。この結果、第２の無線通信装置は、上記の所定の信号を第１の無線通信装置に送信しないために、第１の無線通信装置も、第２の無線設定情報に設定変更を行なわず、第１の無線設定情報を維持する。第１及び第２の無線通信装置は、第１の無線設定情報に従った第１の無線接続を利用して、上記の特定のデータを無線通信することができる。
【０００９】
第１の送信部は、アクセスポイントから成功情報が受信される場合に、上記の試行によって構築された第２の無線接続に代えて、第１の無線接続を再構築し、再構築された第１の無線接続を利用して、第２の無線設定情報を第２の無線通信装置に送信してもよい。
【００１０】
設定部は、再構築された第１の無線接続を利用して、第２の無線通信装置から上記の所定の信号を受信してもよい。
【００１１】
上記の所定の信号は、第２の無線通信装置が、アクセスポイントとの間で第２の無線設定情報に従った無線接続を構築することを試行する場合に、第２の無線通信装置が、アクセスポイントから成功情報を受信する際に、第１の無線通信装置に送信する信号であってもよい。この構成によると、第１の無線通信装置は、第２の無線通信装置とアクセスポイントとの間で無線接続が構築されることが確認される場合に、設定変更を行なうことができる。
【００１２】
上記の所定の信号は、第２の無線通信装置が、第２の無線設定情報を受信する際に、第１の無線通信装置に送信する信号であってもよい。
【００１３】
設定部は、上記の試行によって構築された第２の無線接続を利用して、アクセスポイントを介して、第２の無線通信装置から上記の所定の信号を受信してもよい。この構成で第１の無線通信装置が上記の所定の信号を受信するということは、第１及び第２の無線通信装置が、第２の無線設定情報に従って、無線通信可能であることを意味する。即ち、この構成によると、第１及び第２の無線通信装置が、第２の無線設定情報に従って、無線通信可能であることが確認される場合に、第１の無線通信装置は、設定変更を行なうことができる。
【００１４】
第１の無線通信装置は、アクセスポイントから成功情報が受信される場合に、上記の試行によって構築された第２の無線接続を利用して、アクセスポイントを介して、特定の信号を第２の無線通信装置に送信する第２の送信部をさらに備えていてもよい。上記の所定の信号は、第２の無線通信装置が、上記の特定の信号を受信する際に、アクセスポイントを介して、第１の無線通信装置に送信する信号であってもよい。
【００１５】
上記の所定の信号は、第２の無線通信装置が、アクセスポイントとの間で第２の無線設定情報に従った無線接続を構築することを試行する場合に、第２の無線通信装置が、アクセスポイントから成功情報を受信する際に、アクセスポイントを介して、第１の無線通信装置に送信する信号であってもよい。
【００１６】
第２の無線通信装置は、第１の無線通信装置の付属機であってもよい。また、第１の無線設定情報は、第１の無線通信装置と第２の無線通信装置とが、アクセスポイントを介することなく、直接的に無線通信するための無線設定情報であってもよい。
【００１７】
第１の無線通信装置は、通信部が、上記の特定のデータを通信するための無線設定情報に従った無線接続を利用して、第２の無線通信装置から上記の特定のデータを受信する場合に、上記の特定のデータを用いて、印刷実行部に印刷させる印刷制御部をさらに備えていてもよい。
【００１８】
なお、上記の第１の無線通信装置の単体も新規で有用である。上記の第２の無線通信装置の単体も新規で有用である。また、上記の第１の無線通信装置を実現するための制御方法、コンピュータプログラム、及び、当該コンピュータプログラムを格納するコンピュータ読取可能記憶媒体も新規で有用である。上記の第２の無線通信装置を実現するための制御方法、コンピュータプログラム、及び、当該コンピュータプログラムを格納するコンピュータ読取可能記憶媒体も新規で有用である。また、上記の第１の無線通信装置と上記の第２の無線通信装置とを備える無線通信システムも新規で有用である。
【図面の簡単な説明】
【００１９】
【図１】実施例の無線通信システムの構成を示す。
【図２】第１実施例の各デバイスが実行する処理のシーケンス図を示す。
【図３】図２の続きのシーケンス図を示す。
【図４】図３の続きのシーケンス図を示す。
【図５】第２実施例の各デバイスが実行する処理のシーケンス図を示す。
【図６】第３実施例の各デバイスが実行する処理のシーケンス図を示す。
【図７】第３実施例の各デバイスが実行する処理のシーケンス図を示す。
【発明を実施するための形態】
【００２０】
（第１実施例）
（システムの構成）
図面を参照して第１実施例を説明する。図１に示されるように、無線通信システム２は、複数個のＰＣ４，５と、ＡＰ（アクセスポイント）６と、多機能機１０と、通話デバイス７０と、を備える。ＰＣ４とＰＣ５とは、ＡＰ６を介して、相互に無線通信可能である。多機能機１０及び通話デバイス７０は、ＡＰ６を介して、又は、ＡＰ６を介さずに、相互に無線通信可能である。即ち、多機能機１０及び通話デバイス７０は、インフラストラクチャの無線通信、又は、アドホックの無線通信、を実行可能である。なお、本実施例では、ＩＥＥＥ（The Institute of Electrical and Electronics Engineers, Inc.）の８０２．１１の規格、及び、それに準ずる規格（８０２．１１ａ，１１ｂ等）に基づいて、無線通信が実行される。従って、後述の無線設定情報ＷＳ１，ＷＳ２は、上記の規格に適合する無線設定情報である。
【００２１】
（多機能機１０の構成）
多機能機１０の構成について詳しく説明する。多機能機１０は、印刷機能、スキャナ機能、コピー機能等の多機能を実行可能である。多機能機１０は、操作部１２と、表示部１４と、印刷実行部１６と、スキャン実行部１８と、無線インターフェイス２０と、有線インターフェイス２２と、記憶部３０と、制御部５０と、を備える。操作部１２は、複数のキーを備える。ユーザは、操作部１２を操作することによって、様々な指示を多機能機１０に入力することができる。表示部１４は、様々な情報を表示するためのディスプレイである。印刷実行部１６は、インクジェット方式、レーザ方式等の印刷機構である。スキャン実行部１８は、ＣＣＤ、ＣＩＳ等のスキャン機構である。無線インターフェイス２０は、無線通信を実行するためのインターフェイスである。有線インターフェイス２２は、有線通信を実行するためのインターフェイスである。
【００２２】
記憶部３０は、ＲＯＭ３２と、ＮＶＲＡＭ（不揮発性メモリ）３６と、ＶＲＡＭ（揮発性メモリ）４０と、を備える。ＲＯＭ３２は、制御部５０が様々な処理を実行するためのプログラム３４を格納する。ＮＶＲＡＭ３６は、本設定用領域３８を備える。本設定用領域３８は、多機能機１０が通話デバイス７０とＦＡＸデータを無線通信するための無線設定情報を格納する。無線設定情報は、認証方式、暗号化方式、パスワード等を含む。本設定用領域３８に特定の無線設定情報が格納されている状態が、多機能機１０がＦＡＸデータを無線通信するための無線設定情報として、上記の特定の無線設定情報が多機能機１０に設定されている状態である。ＶＲＡＭ４０は、仮設定用領域４２を備える。仮設定用領域４２は、本設定用領域３８に格納されている無線設定情報を、別の無線設定情報に設定変更するための処理が実行される過程において、当該別の無線設定情報を一時的に格納する。
【００２３】
制御部５０は、ＲＯＭ３２に格納されているプログラム３４に従って、様々な処理を実行する。制御部５０がプログラム３４に従って処理を実行することによって、通信部５２、第１の送信部５４、設定部５６、試行部５８、第２の送信部６０、及び、印刷制御部６２の各機能が実現される。通信部５２は、通話デバイス７０との間でＦＡＸデータの送受信を実行する。第１の送信部５４は、ユーザの設定変更操作によって入力された各種情報（認証方式、暗号化方式、パスワード等）に基づいた無線設定情報を通話デバイス７０に送信する。設定部５６は、多機能機１０に現在設定されている無線設定情報を新たな無線設定情報に変更し、又は、多機能機１０に現在設定されている無線設定情報を維持する。試行部５８は、ユーザの設定変更操作に基づく無線設定情報を用いて、無線通信を試行する。第２の送信部６０は、後述の接続完了通知（図６の接続完了通知３１０、図７の接続完了通知３２０）を、ＡＰ６を介して、通話デバイス７０に送信する。印刷制御部６２は、印刷実行部１６の動作を制御する。
【００２４】
（通話デバイス７０の構成）
通話デバイス７０は、多機能機１０の付属機である。即ち、通話デバイス７０は、それ単体で出荷されることはなく、多機能機１０と共に出荷される。通話デバイス７０は、マイク７２と、スピーカ７４と、ＰＳＴＮインターフェイス７６と、無線インターフェイス７８と、制御部８０と、記憶部９０と、を備える。ＰＳＴＮインターフェイス７６は、一般公衆回線網であるＰＳＴＮ（Public Switched Telephone Network）８に接続されている。無線インターフェイス７８は、無線通信を実行するためのインターフェイスである。制御部８０は、記憶部９０に格納されている図示省略のプログラムに従って、様々な処理を実行する。記憶部９０は、ＮＶＲＡＭ（不揮発性メモリ）９１と、ＶＲＡＭ（揮発性メモリ）９３と、を備える。ＮＶＲＡＭ９１は、本設定用領域９２を備える。本設定用領域９２は、通話デバイス７０が多機能機１０とＦＡＸデータを無線通信するための無線設定情報を格納する。本設定用領域９２に特定の無線設定情報が格納されている状態が、通話デバイス７０がＦＡＸデータを無線通信するための無線設定情報として、上記の特定の無線設定情報が通話デバイス７０に設定されている状態である。ＶＲＡＭ９３は、仮設定用領域９４を備える。仮設定用領域９４は、本設定用領域９２に格納されている無線設定情報を、別の無線設定情報に設定変更するための処理が実行される過程において、当該別の無線設定情報を一時的に格納する。
【００２５】
通話デバイス７０が処理を実行することによって、電話機能が実現される。例えば、多機能機１０及び通話デバイス７０のユーザは、通話デバイス７０を用いて、ＰＳＴＮ８に接続されている別の電話機に電話をかけることができる。この場合、通話デバイス７０は、マイク７２に入力された音声に対応する音声データを、ＰＳＴＮインターフェイス７６を介して、上記の別の電話機に送信する。また、通話デバイス７０は、上記の別の電話機から送信される音声データが、ＰＳＴＮインターフェイス７６によって受信される場合に、当該音声データに対応する音声をスピーカ７４から出力させる。
【００２６】
また、多機能機１０及び通話デバイス７０が協働して処理を実行することによって、ＦＡＸ機能が実現される。例えば、通話デバイス７０は、ＰＳＴＮインターフェイス７６によって画像データ（即ちＦＡＸデータ）が受信される場合に、当該画像データを無線で多機能機１０に送信する。多機能機１０は、通話デバイス７０から無線で送信される画像データが、無線インターフェイス２０によって受信される場合に、当該画像データに従った印刷を印刷実行部１６に実行させる。これにより、ＦＡＸの受信動作が実行される。また、多機能機１０は、スキャン実行部１８がスキャンを実行することによって生成される画像データ（即ちＦＡＸデータ）を、通話デバイス７０に無線で送信する。通話デバイス７０は、多機能機１０から無線で送信される画像データが、無線インターフェイス７８によって受信される場合に、ユーザによって予め指定されたＰＳＴＮ８内の宛先に当該画像データを送信する。これにより、ＦＡＸの送信動作が実行される。
【００２７】
（各デバイス１０，７０が実行する処理）
続いて、図２から図４を参照して、各デバイス１０，７０が実行する処理の内容について説明する。なお、本実施例では、多機能機１０と通話デバイス７０とがアドホックの無線通信を実行可能である場合に、ユーザが、多機能機１０において、インフラストラクチャの無線設定に変更するための設定変更操作を実行する例について説明する。即ち、ユーザが、多機能機１０と通話デバイス７０との間の無線通信のみならず、多機能機１０とＰＣ４，５との間の無線通信も実行可能な状態に変更するための設定変更操作を実行する例について説明する。
【００２８】
多機能機１０及び通話デバイス７０の出荷段階（「初期状態」と言うこともできる）では、多機能機１０の本設定用領域３８と通話デバイス７０の本設定用領域９２とのそれぞれに、同じ無線設定情報ＷＳ１（以下では「ＷＳ１」と簡単に記載する）が予め格納されている。即ち、出荷段階では、多機能機１０及び通話デバイス７０のそれぞれにＷＳ１が設定されている。ＷＳ１は、多機能機１０及び通話デバイス７０が、ＡＰ６を介さずに、直接的に無線通信するための無線設定情報である。即ち、ＷＳ１は、アドホックの無線設定情報である。従って、図２に示されるように、多機能機１０と通話デバイス７０との間には、ＷＳ１に従った無線接続（アドホックの無線接続）が構築される。ＷＳ１に従った無線接続が構築されている状態では、多機能機１０及び通話デバイス７０は、ＦＡＸデータを無線通信可能である。
【００２９】
ＷＳ１に従った無線接続が構築されている間に、通話デバイス７０の制御部８０は、ＰＳＴＮインターフェイス７６を介して、ＦＡＸデータ１００を受信する（Ｓ２）。この場合、制御部８０は、ＷＳ１に従った無線接続を利用して、ＦＡＸデータ１００を多機能機１０に送信する（Ｓ４）。これにより、多機能機１０の通信部５２は、ＷＳ１に従った無線接続を利用して、ＦＡＸデータ１００を受信する（Ｓ６）。この場合、多機能機１０の印刷制御部６２は、ＦＡＸデータ１００を用いて、印刷実行部１６に印刷を実行させる（Ｓ８）。これにより、ＦＡＸデータ１００によって表わされる画像が形成された印刷媒体をユーザに提供することができる。なお、図２には、通話デバイス７０から多機能機１０にＦＡＸデータ１００が送信される例（即ちＰＳＴＮ８からのＦＡＸの受信動作の例）が示されているが、ＷＳ１に従った無線接続が構築されている状態では、多機能機１０から通話デバイス７０にＦＡＸデータ（即ちスキャン実行部１８によって生成されるＦＡＸデータ）を送信することもできる。即ち、ＰＳＴＮ８へのＦＡＸの送信動作を実行することもできる。
【００３０】
ユーザは、多機能機１０の操作部１２に設定変更操作を加えることによって、本設定用領域３８に格納されているＷＳ１を、異なる無線設定情報ＷＳ２（以下では「ＷＳ２」と簡単に記載する）に変更するための指示を、多機能機１０に入力する（Ｓ１０）。上記の設定変更操作は、ＷＳ２に含まれる各種情報（認証方式、暗号化方式、パスワード等）を入力するための操作を含む。本実施例では、ＷＳ２は、多機能機１０及び通話デバイス７０が、ＡＰ６を介して、間接的に無線通信するための無線設定情報である。即ち、ＷＳ２は、インフラストラクチャの無線設定情報である。設定部５６は、上記の指示が入力される場合に、ＷＳ１が本設定用領域３８に維持された状態で、ＷＳ２を仮設定用領域４２に格納する（Ｓ１２）。Ｓ１２では、さらに、設定部５６は、本設定用領域３８に格納されているＷＳ１に代えて、仮設定用領域４２に格納されているＷＳ２を利用して、無線接続を構築すべきことを決定する。これにより、多機能機１０と通話デバイス７０との間でＷＳ１に従った無線接続が切断される（Ｓ１４）。続いて、試行部５８は、ＡＰ６との間でＷＳ２に従った無線接続を構築するために、接続要求１０２をＡＰ６に無線で送信する（Ｓ１６）。接続要求１０２は、ＷＳ２に基づいた情報（認証方式、暗号化方式、認証に必要な認証データ等）を含む。
【００３１】
ＡＰ６は、接続要求１０２を受信すると、接続要求１０２に基づいて認証を実行する（Ｓ１８）。この認証は、例えば、ＷＳ２に含まれる認証方式及び暗号化方式をＡＰ６がサポートしているのか否かに関する認証、ＷＳ２に含まれるパスワードがＡＰ６に登録されているのか否かに関する認証等を含む。従って、Ｓ１８の認証が成功するためには、ユーザは、Ｓ１０の操作を実行する際に、ＡＰ６がサポートしている認証方式及び暗号化方式を入力する必要がある。また、Ｓ１８の認証が成功するためには、ユーザは、Ｓ１０の操作を実行する前に、特定のパスワードをＡＰ６に予め登録しておき、Ｓ１０の操作を実行する際に、上記の特定のパスワードと同じパスワードを入力する必要がある。
【００３２】
Ｓ１８の認証が失敗した場合には、ＡＰ６は、認証が失敗したことを示すＮＧ通知１０４を多機能機１０に無線で送信する。Ｓ１８の認証が失敗する例としては、ユーザが、Ｓ１０の操作を実行する際に、ＡＰ６がサポートしている認証方式及び暗号化方式を入力しなかった場合、ＡＰ６に予め登録された上記の特定のパスワードと異なるパスワードを入力した場合等を挙げることができる。設定部５６は、ＮＧ通知１０４を受信する（Ｓ２０）。この場合、多機能機１０の制御部５０は、設定変更を行なうことができないことを示す画面を表示部１４に表示させる（Ｓ２２）。次いで、設定部５６は、仮設定用領域４２に格納されているＷＳ２を消去し、ＷＳ１に従った無線接続を再構築すべきことを決定する（Ｓ２４）。この場合、多機能機１０は、ＷＳ１からＷＳ２に設定変更を行なわずに、ＷＳ１を維持し、通話デバイス７０もＷＳ１を維持する。これにより、多機能機１０と通話デバイス７０との間でＷＳ１に従った無線接続が再構築される（Ｓ２６）。
【００３３】
なお、Ｓ１６で多機能機１０が接続要求１０２を送信する際に、例えば、ＡＰ６の電源がＯＦＦされている場合には、ＡＰ６は、接続要求１０２を受信することができない。また、例えば、ＡＰ６と多機能機１０との間の距離が大きい場合にも、ＡＰ６は、接続要求１０２を受信することができない。即ち、これらのケースでは、ＡＰ６は、Ｓ１８の認証を実行することができず、認証結果を示す情報（ＮＧ通知１０４又は後述の図３のＯＫ通知１１０）を多機能機１０に送信しない。このような状況でＷＳ１からＷＳ２に設定変更が行なわれても、多機能機１０及び通話デバイス７０は、ＡＰ６を介して、無線通信することができない。従って、図示省略しているが、設定部５６は、Ｓ１６で接続要求１０２が送信されてから所定時間が経過しても、ＮＧ通知１０４又はＯＫ通知１１０を受信しない場合に、Ｓ２２〜Ｓ２６の処理を実行する。
【００３４】
Ｓ１８の認証が成功した場合には、図３に示されるように、ＡＰ６は、認証が成功したことを示すＯＫ通知１１０を多機能機１０に無線で送信する。これにより、設定部５６は、ＯＫ通知１１０を受信する（Ｓ３２）。この場合、多機能機１０とＡＰ６との間でＷＳ２に従った無線接続が構築される（Ｓ３４）。次いで、設定部５６は、ＷＳ２に従った無線接続に代えて、ＷＳ１に従った無線接続を再構築すべきことを決定する（Ｓ４０）。これにより、多機能機１０とＡＰ６との間で構築されたＷＳ２に従った無線接続が切断される（Ｓ４２）。続いて、多機能機１０と通話デバイス７０との間でＷＳ１に従った無線接続が再構築される（Ｓ４４）。次いで、第１の送信部５４は、再構築されたＷＳ１に従った無線接続を利用して、ＷＳ２を通話デバイス７０に送信する（Ｓ４６）。これにより、通話デバイス７０の制御部８０は、ＷＳ２を受信する（Ｓ４８）。
【００３５】
通話デバイス７０の制御部８０は、ＷＳ２を受信すると、ＷＳ１が本設定用領域９２に維持された状態で、ＷＳ２を仮設定用領域９４に格納する（Ｓ５０）。Ｓ５０では、さらに、制御部８０は、本設定用領域９２に格納されているＷＳ１に代えて、仮設定用領域９４に格納されているＷＳ２を利用して、無線接続を構築すべきことを決定する。これにより、ＷＳ１に従った無線接続が切断される（Ｓ５２）。続いて、通話デバイス７０の制御部８０は、ＡＰ６との間でＷＳ２に従った無線接続を構築するために、ＷＳ２に基づいた情報を含む接続要求１１２をＡＰ６に無線で送信する（Ｓ５４）。
【００３６】
ＡＰ６は、接続要求１１２を受信すると、接続要求１１２に基づいて認証を実行する（Ｓ５６）。この認証は、図２のＳ１８の認証と同様である。従って、Ｓ１８の認証が成功する場合には、通常、Ｓ５６の認証が成功する。しかしながら、例えば、ＡＰ６と通話デバイス７０との間で無線接続が構築されることを禁止するための情報が、ＡＰ６に予め登録されている場合（例えば、無線接続の構築を禁止するＭＡＣアドレスとして、通話デバイス７０のＭＡＣアドレスが、ＡＰ６に予め登録されている場合）には、Ｓ５６の認証が失敗する可能性がある。この場合、ＡＰ６は、認証が失敗したことを示すＮＧ通知１１４を通話デバイス７０に無線で送信する。これにより、通話デバイス７０の制御部８０は、ＮＧ通知１１４を受信する（Ｓ５８）。この場合、制御部８０は、仮設定用領域９４に格納されているＷＳ２を消去し、ＷＳ１に従った無線接続を再構築すべきことを決定する（Ｓ６０）。これにより、多機能機１０と通話デバイス７０との間でＷＳ１に従った無線接続が再構築される（Ｓ６２）。さらに、制御部８０は、再構築されたＷＳ１に従った無線接続を利用して、認証が失敗したことを示すＮＧ通知１１６を多機能機１０に送信する（Ｓ６４）。これにより、設定部５６は、ＮＧ通知１１６を受信する（Ｓ６６）。この場合、多機能機１０の制御部５０は、設定変更を行なうことができないことを示す画面を表示部１４に表示させる（Ｓ６８）。さらに、設定部５６は、仮設定用領域４２に格納されているＷＳ２を消去する（Ｓ７０）。この場合、多機能機１０は、ＷＳ１からＷＳ２に設定変更を行なわずに、ＷＳ１を維持し、通話デバイス７０もＷＳ１を維持する。
【００３７】
なお、図２のＳ１６で多機能機１０が接続要求１０２を送信する際には、ＡＰ６の電源がＯＮされているが、図３のＳ５４で通話デバイス７０が接続要求１１２を送信する際には、ＡＰ６の電源がＯＦＦされている場合には、ＡＰ６は、接続要求１１２を受信することができない。また、例えば、ＡＰ６と通話デバイス７０との間の距離が大きい場合にも、ＡＰ６は、接続要求１１２を受信することができない。図示省略しているが、これらのケースを考慮して、通話デバイス７０の制御部８０は、Ｓ５４で接続要求１１２が送信されてから所定時間が経過しても、ＮＧ通知１１４又は後述のＯＫ通知１２０（図４参照）を受信しない場合に、Ｓ６０〜Ｓ６４の処理を実行する。
【００３８】
Ｓ５６の認証が成功した場合には、図４に示されるように、ＡＰ６は、認証が成功したことを示すＯＫ通知１２０を通話デバイス７０に無線で送信する。これにより、通話デバイス７０の制御部８０は、ＯＫ通知１２０を受信する（Ｓ８２）。この場合、通話デバイス７０とＡＰ６との間でＷＳ２に従った無線接続が構築される（Ｓ８４）。次いで、制御部８０は、ＷＳ２に従った無線接続に代えて、ＷＳ１に従った無線接続を再構築すべきことを決定する（Ｓ８６）。これにより、通話デバイス７０とＡＰ６との間で構築されたＷＳ２に従った無線接続が切断される（Ｓ８８）。さらに、多機能機１０と通話デバイス７０との間でＷＳ１に従った無線接続が再構築される（Ｓ９０）。続いて、制御部８０は、再構築されたＷＳ１に従った無線接続を利用して、ＡＰ６との無線接続が構築されたことを示す接続完了通知１２２を多機能機１０に送信する（Ｓ９２）。さらに、制御部８０は、本設定用領域９２に格納されているＷＳ１を消去し、本設定用領域９２にＷＳ２を新たに格納する（Ｓ９６）。これにより、通話デバイス７０がＦＡＸデータを無線通信するための無線設定情報として、通話デバイス７０にＷＳ２が新たに設定される。即ち、Ｓ９２で送信される接続完了通知１２２は、通話デバイス７０がＷＳ１からＷＳ２に設定変更を行なう際に送信される通知である。
【００３９】
多機能機１０の設定部５６は、通話デバイス７０から接続完了通知１２２を受信する（Ｓ９４）。この場合、設定部５６は、本設定用領域３８に格納されているＷＳ１を消去し、本設定用領域３８にＷＳ２を新たに格納する（Ｓ９８）。これにより、多機能機１０がＦＡＸデータを無線通信するための無線設定情報として、多機能機１０にＷＳ２が新たに設定される。
【００４０】
Ｓ９６及びＳ９８を終えると、ＷＳ１に従った無線接続が切断される（Ｓ９９）。次いで、試行部５８は、ＡＰ６との間でＷＳ２に従った無線接続を構築するために、ＷＳ２に基づいた情報を含む接続要求１２４をＡＰ６に無線で送信する（Ｓ１００）。図２のＳ１８の認証が一度成功しているために、ＡＰ６は、通常、ＯＫ通知１２６を多機能機１０に無線で送信する。これにより、設定部５６は、ＯＫ通知１２６を受信する（Ｓ１０２）。これにより、多機能機１０とＡＰ６との間でＷＳ２に従った無線接続が構築される（Ｓ１０４）。この場合、多機能機１０の制御部５０は、ＡＰ６との間で無線接続が構築されたことを示す画面を表示部１４に表示させる（Ｓ１０６）。
【００４１】
また、通話デバイス７０の制御部８０は、ＡＰ６との間でＷＳ２に従った無線接続を構築するために、ＷＳ２に基づいた情報を含む接続要求１２８をＡＰ６に無線で送信する（Ｓ１０８）。図３のＳ５６の認証が一度成功しているために、ＡＰ６は、通常、ＯＫ通知１３０を通話デバイス７０に無線で送信する。これにより、制御部８０は、ＯＫ通知１３０を受信する（Ｓ１１０）。これにより、通話デバイス７０とＡＰ６との間でＷＳ２に従った無線接続が構築される（Ｓ１１２）。
【００４２】
上述したように、多機能機１０とＡＰ６との間でＷＳ２に従った無線接続が構築され（Ｓ１０４）、かつ、通話デバイス７０とＡＰ６との間でＷＳ２に従った無線接続が構築される（Ｓ１１２）。この状態では、多機能機１０及び通話デバイス７０は、ＡＰ６を介して、ＦＡＸデータを無線通信可能である。例えば、通話デバイス７０の制御部８０は、ＰＳＴＮインターフェイス７６を介して、ＦＡＸデータ１４０を受信する（Ｓ１１４）。この場合、制御部８０は、ＷＳ２に従った無線接続を利用して、ＡＰ６を介して、ＦＡＸデータ１４０を多機能機１０に送信する（Ｓ１１６）。これにより、通信部５２は、ＷＳ２に従った無線接続を利用して、ＦＡＸデータ１４０を受信する（Ｓ１１８）。この場合、印刷制御部６２は、ＦＡＸデータ１４０を用いて、印刷実行部１６に印刷を実行させる（Ｓ１２０）。なお、図４には、ＰＳＴＮ８からのＦＡＸの受信動作の例が示されているが、ＷＳ２に従った無線接続が構築されている状態では、ＰＳＴＮ８へのＦＡＸの送信動作を実行することもできる。
【００４３】
第１実施例の無線通信システム２について詳しく説明した。例えば、多機能機１０がＷＳ２を通話デバイス７０に送信した後（図３のＳ４６の後）に、図４の接続完了通知１２２の受信の有無に関わらず、多機能機１０が、ＦＡＸデータを無線通信するための無線設定情報（本設定用領域３８内の無線設定情報）を、ＷＳ１からＷＳ２に変更する構成（以下では「比較例の構成」と呼ぶ）が考えられる。上記の比較例の構成では、多機能機１０が、ＷＳ１からＷＳ２に設定変更を行なうが、通話デバイス７０が、設定変更を行なわずにＷＳ１を維持する事象（例えば、図３のＮＧ通知１１４が受信される場合、又は、図３のＮＧ通知１１４も図４のＯＫ通知１２０も受信されない場合）が発生し得る。この場合、多機能機１０及び通話デバイス７０に異なる無線設定情報が設定されるために、多機能機１０及び通話デバイス７０は、ＦＡＸデータを無線通信することができない。即ち、ＦＡＸの受信動作及びＦＡＸの送信動作が実現されない。このような問題が発生するのを抑制するために、本実施例では、通話デバイス７０は、ＦＡＸデータを無線通信するための無線設定情報（本設定用領域９２内の無線設定情報）を、ＷＳ１からＷＳ２に変更する際に、接続完了通知１２２を多機能機１０に送信する（図４のＳ９２）。多機能機１０は、通話デバイス７０から接続完了通知１２２が受信される場合に、ＷＳ１からＷＳ２に設定変更を行なう（図４のＳ９８）。一方において、多機能機１０は、接続完了通知１２２が受信されない場合（図３のＮＧ通知１１４が受信される場合、又は、ＮＧ通知１１４も接続完了通知１２２も受信されない場合）に、ＷＳ１からＷＳ２に設定変更を行なわずに、ＷＳ１を維持する。これにより、多機能機１０及び通話デバイス７０に異なる無線設定情報が設定されることを抑制することができる。従って、上記の比較例の構成と比べると、多機能機１０及び通話デバイス７０がＦＡＸデータを無線通信することができない事象が発生するのを抑制することができる。
【００４４】
また、多機能機１０がＷＳ１からＷＳ２に設定変更される場合には、通話デバイス７０もＷＳ１からＷＳ２に設定変更される（図４のＳ９６，Ｓ９８）。即ち、ユーザは、通話デバイス７０に設定変更操作を加えなくても、通話デバイス７０の設定変更を行なうことができる。通話デバイス７０の表示部（図示省略）が、多機能機１０の表示部１４と比べて小さい場合等の理由により、通話デバイス７０での操作性が劣る場合であっても、ユーザは、より設定し易いユーザインターフェイス（即ち多機能機１０のユーザインターフェイス）を用いて、通話デバイス７０の設定変更を行なうことができる。
【００４５】
また、多機能機１０は、ＷＳ１からＷＳ２に設定変更を行なう前に、ＡＰ６との間でＷＳ２に従った無線接続を構築することを試行する（図２のＳ１６）。多機能機１０は、ＡＰ６から図３のＯＫ通知１１０が受信される場合であり、かつ、接続完了通知１２２が受信される場合に、ＷＳ１からＷＳ２に設定変更を行なう。多機能機１０とＡＰ６との間でＷＳ２に従った無線接続が構築されることが確認される場合に、ＷＳ１からＷＳ２に設定変更が行なわれるために、多機能機１０及び通話デバイス７０がＦＡＸデータを無線通信することができない事象が発生するのを効果的に抑制することができる。
【００４６】
なお、多機能機１０は、ＡＰ６から図３のＯＫ通知１１０が受信されない場合（図２のＮＧ通知１０４が受信される場合、又は、図２のＮＧ通知１０４も図３のＯＫ通知１１０も受信されない場合）に、ＷＳ２を通話デバイス７０に送信するための図３のＳ４６の処理を実行しない。従って、通話デバイス７０は、ＷＳ２を受信しないために、ＷＳ１からＷＳ２に設定変更を行なわずに、ＷＳ１を維持する。この場合、多機能機１０もＷＳ１を維持するために、多機能機１０及び通話デバイス７０は、ＷＳ１に従った無線接続を利用して、ＦＡＸデータを無線通信することができる。
【００４７】
また、本実施例では、通話デバイス７０は、ＷＳ１からＷＳ２に設定変更を行なう前に、ＡＰ６との間でＷＳ２に従った無線接続を構築することを試行する（図３のＳ５４）。通話デバイス７０は、ＡＰ６から図４のＯＫ通知１２０が受信される際に、多機能機１０に図４の接続完了通知１２２を送信する。この構成によると、多機能機１０は、通話デバイス７０とＡＰ６との間でＷＳ２に従った無線接続が構築されることが確認される場合に、ＷＳ１からＷＳ２に設定変更を行なうことができる。
【００４８】
上記の説明から明らかなように、多機能機１０、通話デバイス７０が、それぞれ、「第１の無線通信装置」、「第２の無線通信装置」の一例である。また、ＷＳ１、ＷＳ２が、それぞれ、「第１の無線設定情報」、「第２の無線設定情報」の一例である。ＦＡＸデータ１００，１４０が、「特定のデータ」の一例である。図４の接続完了通知１２２が、「所定の信号」の一例である。また、図３のＯＫ通知１１０、図４のＯＫ通知１２０が、それぞれ、第１の無線通信装置によって受信される「成功情報」、第２の無線通信装置によって受信される「成功情報」の一例である。
【００４９】
（第２実施例）
図５を参照して、第２実施例を説明する。ここでは、第１実施例と異なる点を中心に説明する。第１実施例の場合と同様に、多機能機１０と通話デバイス７０との間には、ＷＳ１に従った無線接続が構築される。ユーザは、多機能機１０の操作部１２に設定変更操作を加えることによって、多機能機１０の本設定用領域３８に格納されているＷＳ１をＷＳ２に変更するための指示を、多機能機１０に入力する（Ｓ２１０）。設定部５６は、上記の指示が入力される場合に、ＷＳ２を仮設定用領域４２に格納し、ＷＳ１に代えてＷＳ２を利用して、無線接続を構築すべきことを決定する（Ｓ２１２）。これにより、多機能機１０と通話デバイス７０との間でＷＳ１に従った無線接続が切断される（Ｓ２１４）。
【００５０】
続いて、試行部５８は、ＷＳ２に基づいた情報を含む接続要求２００をＡＰ６に無線で送信する（Ｓ２１６）。この場合、ＡＰ６は、第１実施例と同様の認証を実行し、認証が成功した場合には、ＯＫ通知２０２を多機能機１０に無線で送信する。なお、図示省略しているが、ＡＰ６は、認証が失敗した場合には、第１実施例と同様に、ＮＧ通知を多機能機１０に無線で送信する。多機能機１０がＮＧ通知を受信する場合の処理（図２のＳ２２〜Ｓ２６参照）は、第１実施例と同様である。また、多機能機１０がＮＧ通知もＯＫ通知２０２も受信しない場合の処理（図２のＳ２２〜Ｓ２６参照）も、第１実施例と同様である。
【００５１】
設定部５６がＯＫ通知２０２を受信する場合（Ｓ２３２）に、多機能機１０とＡＰ６との間でＷＳ２に従った無線接続が構築される（Ｓ２３４）。次いで、設定部５６は、ＷＳ２に従った無線接続に代えて、ＷＳ１に従った無線接続を再構築すべきことを決定する（Ｓ２４０）。これにより、多機能機１０とＡＰ６との間で構築されたＷＳ２に従った無線接続が切断される（Ｓ２４２）。さらに、多機能機１０と通話デバイス７０との間でＷＳ１に従った無線接続が再構築される（Ｓ２４４）。続いて、第１の送信部５４は、再構築されたＷＳ１に従った無線接続を利用して、ＷＳ２を通話デバイス７０に送信する（Ｓ２４６）。なお、第２実施例において、Ｓ２４６までの処理は、第１実施例とほぼ同様である。以下では、第１実施例と相違する点を説明する。
【００５２】
例えば、多機能機１０から通話デバイス７０にＷＳ２が送信される際（Ｓ２４６が実行される際）に、通話デバイス７０の電源がＯＦＦされている場合には、通話デバイス７０は、ＷＳ２を受信することができない。このようなケースを考慮して、設定部５６は、Ｓ２４６でＷＳ２が送信されてから所定時間が経過するまでに、通話デバイス７０から応答が受信されることを監視する（Ｓ２５０）。上記の所定時間が経過しても応答が受信されない場合には、制御部５０は、設定変更を行なうことができないことを示す画面を表示部１４に表示させる（Ｓ２５２）。さらに、設定部５６は、仮設定用領域４２に格納されているＷＳ２を消去する（Ｓ２５４）。この場合、多機能機１０は、ＷＳ１からＷＳ２に設定変更を行なわずに、ＷＳ１を維持し、通話デバイス７０もＷＳ１を維持する。
【００５３】
通話デバイス７０の制御部８０は、ＷＳ２が受信される場合に、ＷＳ１に従った無線接続を利用して、ＷＳ２が受信されたことを示す受信完了通知２１２を多機能機１０に送信する（Ｓ２９２）。この場合、制御部８０は、本設定用領域９２に格納されているＷＳ１を消去し、本設定用領域９２にＷＳ２を新たに格納する（Ｓ２９６）。これにより、通話デバイス７０がＦＡＸデータを無線通信するための無線設定情報として、通話デバイス７０にＷＳ２が新たに設定される。即ち、Ｓ２９２で送信される受信完了通知２１２は、通話デバイス７０がＷＳ１からＷＳ２に設定変更を行なう際に送信される通知である。
【００５４】
多機能機１０の設定部５６は、通話デバイス７０から受信完了通知２１２を受信する（Ｓ２９４）。この場合、設定部５６は、本設定用領域３８に格納されているＷＳ１を消去し、本設定用領域３８にＷＳ２を新たに格納する（Ｓ２９８）。これにより、多機能機１０がＦＡＸデータを無線通信するための無線設定情報として、多機能機１０にＷＳ２が新たに設定される。なお、図示省略しているが、Ｓ２９６の後に、通話デバイス７０の制御部８０は、第１実施例と同様に、図４のＳ１０８，Ｓ１１０の処理を実行する。これにより、通話デバイス７０とＡＰ６との間でＷＳ２に従った無線接続が構築される。また、Ｓ２９８の後に、多機能機１０の試行部５８は、第１実施例と同様に、図４のＳ１００，Ｓ１０２，Ｓ１０６の処理を実行する。これにより、多機能機１０とＡＰ６との間でＷＳ２に従った無線接続が構築される。この結果、多機能機１０及び通話デバイス７０は、ＡＰ６を介して、ＦＡＸデータを無線通信可能な状態になる。なお、第２実施例では、通話デバイス７０がＡＰ６に対して接続要求を実行すると、認証が成功する場合を例にして説明している。
【００５５】
第２実施例の無線通信システム２について詳しく説明した。本実施例では、通話デバイス７０は、ＦＡＸデータを無線通信するための無線設定情報（本設定用領域９２内の無線設定情報）を、ＷＳ１からＷＳ２に変更する際に、受信完了通知２１２を多機能機１０に送信する（Ｓ２９２）。多機能機１０は、通話デバイス７０から受信完了通知２１２が受信される場合に、ＷＳ１からＷＳ２に設定変更を行なう（Ｓ２９８）。一方において、多機能機１０は、受信完了通知２１２が受信されない場合に、ＷＳ１からＷＳ２に設定変更を行なわずに、ＷＳ１を維持する（Ｓ２５４）。これにより、多機能機１０及び通話デバイス７０に異なる無線設定情報が設定されることを抑制することができる。従って、多機能機１０がＷＳ２を通話デバイス７０に送信した後（図５のＳ２４６の後）に、図５の受信完了通知２１２の受信の有無に関わらず、多機能機１０が、ＦＡＸデータを無線通信するための無線設定情報（本設定用領域３８内の無線設定情報）を、ＷＳ１からＷＳ２に変更する構成と比べると、多機能機１０及び通話デバイス７０がＦＡＸデータを無線通信することができない事象が発生するのを抑制することができる。なお、本実施例では、受信完了通知２１２が、「所定の信号」の一例である。
【００５６】
（第３実施例）
図６及び図７を参照して、第３実施例を説明する。ここでは、第１実施例及び第２実施例と異なる点を中心に説明する。第１実施例の場合と同様に、多機能機１０と通話デバイス７０との間には、ＷＳ１に従った無線接続が構築される。ユーザは、多機能機１０の操作部１２に設定変更操作を加えることによって、多機能機１０の本設定用領域３８に格納されているＷＳ１をＷＳ２に変更するための指示を、多機能機１０に入力する（Ｓ３１０）。なお、第３実施例において、Ｓ３１０までの処理は、第１実施例及び第２実施例とほぼ同様である。以下では、第１実施例及び第２実施例と相違する点を説明する。ユーザによって設定変更操作が実行されると（Ｓ３１０）、第１の送信部５４は、ＷＳ１に従った無線接続を利用して、ＷＳ２を通話デバイス７０に送信する（Ｓ３１２）。なお、図示省略しているが、第２実施例の図５のＳ２５０〜Ｓ２５４の処理と同様に、多機能機１０は、ＷＳ２の送信に対する応答が受信されない場合には、ＷＳ１からＷＳ２に設定変更を行なわずに、ＷＳ１を維持する。
【００５７】
通話デバイス７０の制御部８０は、ＷＳ２を受信する（Ｓ３１４）。制御部８０は、ＷＳ２が受信される場合に、ＷＳ１に従った無線接続を利用して、ＷＳ２が受信されたことを示す受信完了通知３０２を多機能機１０に送信する（Ｓ３１６）。この場合、制御部８０は、ＷＳ２を仮設定用領域９４に格納し、ＷＳ１に代えてＷＳ２を利用して、無線接続を構築すべきことを決定する（Ｓ３２２）。多機能機１０の設定部５６は、受信完了通知３０２を受信する（Ｓ３１８）。この場合、設定部５６は、ＷＳ２を仮設定用領域４２に格納し、ＷＳ１に代えてＷＳ２を利用して、無線接続を構築すべきことを決定する（Ｓ３２０）。これにより、多機能機１０と通話デバイス７０との間でＷＳ１に従った無線接続が切断される（Ｓ３２４）。
【００５８】
続いて、試行部５８は、ＷＳ２に基づいた情報を含む接続要求３０４をＡＰ６に無線で送信する（Ｓ３２６）。この場合、ＡＰ６は、第１実施例と同様の認証を実行し、認証が成功した場合には、ＯＫ通知を多機能機１０に無線で送信する。また、通話デバイス７０の制御部８０も、ＷＳ２に基づいた情報を含む接続要求３０６をＡＰ６に無線で送信する（Ｓ３２８）。この場合、ＡＰ６は、第１実施例と同様の認証を実行し、認証が成功した場合には、ＯＫ通知を通話デバイス７０に無線で送信する。なお、図６のパターン１は、多機能機１０と通話デバイス７０の両方がＯＫ通知を受信する場合に実行される各処理を示す。また、図７のパターン２は、多機能機１０のみがＯＫ通知を受信する場合に実行される各処理を示し、パターン３は、通話デバイス７０のみがＯＫ通知を受信する場合に実行される各処理を示す。
【００５９】
（パターン１）
図６のパターン１に示されるように、多機能機１０と通話デバイス７０の両方がＯＫ通知を受信する場合には、多機能機１０とＡＰ６との間でＷＳ２に従った無線接続が構築され（Ｓ３４０）、通話デバイス７０とＡＰ６との間でＷＳ２に従った無線接続が構築される（Ｓ３４２）。多機能機１０の第２の送信部６０は、ＡＰ６からＯＫ通知が受信される場合に、ＷＳ２に従った無線接続を利用して、ＡＰ６を介して、接続完了通知３１０を通話デバイス７０に送信する（Ｓ３４４）。これにより、通話デバイス７０の制御部８０は、接続完了通知３１０を受信する（Ｓ３４６）。この場合、制御部８０は、ＷＳ２に従った無線接続を利用して、ＡＰ６を介して、接続完了通知３１０が受信されたことを示す受信完了通知３１２を多機能機１０に送信する（Ｓ３４８）。さらに、制御部８０は、本設定用領域９２に格納されているＷＳ１を消去し、本設定用領域９２にＷＳ２を新たに格納する（Ｓ３５４）。これにより、通話デバイス７０がＦＡＸデータを無線通信するための無線設定情報として、通話デバイス７０にＷＳ２が新たに設定される。即ち、Ｓ３４８で送信される受信完了通知３１２は、通話デバイス７０がＷＳ１からＷＳ２に設定変更を行なう際に送信される通知である。
【００６０】
多機能機１０の設定部５６は、受信完了通知３１２を受信する（Ｓ３５０）。この場合、設定部５６は、本設定用領域３８に格納されているＷＳ１を消去し、本設定用領域３８にＷＳ２を新たに格納する（Ｓ３５２）。これにより、多機能機１０がＦＡＸデータを無線通信するための無線設定情報として、多機能機１０にＷＳ２が新たに設定される。多機能機１０及び通話デバイス７０は、Ｓ３４０及びＳ３４２で構築されたＷＳ２に従った無線接続を利用して、ＡＰ６を介して、ＦＡＸデータを無線通信可能である。
【００６１】
（パターン２）
図７のパターン２に示されるように、多機能機１０のみがＯＫ通知を受信する場合には、多機能機１０とＡＰ６との間でＷＳ２に従った無線接続が構築されるが（Ｓ３６０）、通話デバイス７０とＡＰ６との間でＷＳ２に従った無線接続が構築されない。通話デバイス７０の制御部８０は、ＡＰ６からＯＫ通知が受信されない場合（ＮＧ通知が受信される場合、又は、ＮＧ通知もＯＫ通知も受信されない場合）に、仮設定用領域９４に格納されているＷＳ２を消去し、ＷＳ１に従った無線接続を構築すべきことを決定する（Ｓ３６２）。ただし、この時点では、多機能機１０と通話デバイス７０との間でＷＳ１に従った無線接続が構築されない。多機能機１０が、ＡＰ６との間でＷＳ２に従った無線接続を構築しているからである。
【００６２】
パターン１の場合と同様に、多機能機１０の第２の送信部６０は、ＷＳ２に従った無線接続を利用して、ＡＰ６を介して、接続完了通知３２０を通話デバイス７０に送信する（Ｓ３６４）。しかしながら、上述したように、通話デバイス７０とＡＰ６との間でＷＳ２に従った無線接続が構築されていないために、通話デバイス７０は、接続完了通知３２０を受信することができず、この結果、受信完了通知を多機能機１０に送信しない。このようなケースを考慮して、設定部５６は、Ｓ３６４で接続完了通知３２０が送信されてから所定時間が経過するまでに、通話デバイス７０から応答が受信されることを監視する（Ｓ３６６）。パターン２では、上記の所定時間が経過しても応答が受信されないために、制御部５０は、設定変更を行なうことができないことを示す画面を表示部１４に表示させる（Ｓ３６８）。さらに、設定部５６は、仮設定用領域４２に格納されているＷＳ２を消去し、ＷＳ１に従った無線接続を再構築すべきことを決定する（Ｓ３７０）。これにより、パターン２の場合には、多機能機１０は、ＷＳ１からＷＳ２に設定変更を行なわずに、ＷＳ１を維持し、通話デバイス７０もＷＳ１を維持する。従って、多機能機１０と通話デバイス７０との間でＷＳ１に従った無線接続が再構築される（Ｓ３７２）。
【００６３】
（パターン３）
図７のパターン３に示されるように、通話デバイス７０のみがＯＫ通知を受信する場合には、通話デバイス７０とＡＰ６との間でＷＳ２に従った無線接続が構築されるが（Ｓ３８０）、多機能機１０とＡＰ６との間でＷＳ２に従った無線接続が構築されない。多機能機１０の制御部５０は、ＡＰ６からＯＫ通知が受信されない場合（ＮＧ通知が受信される場合、又は、ＮＧ通知もＯＫ通知も受信されない場合）に、設定変更を行なうことができないことを示す画面を表示部１４に表示させる（Ｓ３８４）。さらに、設定部５６は、仮設定用領域４２に格納されているＷＳ２を消去し、ＷＳ１に従った無線接続を再構築すべきことを決定する（Ｓ３８６）。ただし、この時点では、多機能機１０と通話デバイス７０との間でＷＳ１に従った無線接続が構築されない。通話デバイス７０が、ＡＰ６との間でＷＳ２に従った無線接続を構築しているからである。
【００６４】
上述したように、パターン３の場合には、多機能機１０は、ＷＳ２に従った無線接続を利用して、ＡＰ６を介して、接続完了通知を通話デバイス７０に送信することができない。このようなケースを考慮して、通話デバイス７０の制御部８０は、ＡＰ６からＯＫ通知が受信されてから所定時間が経過するまでに、多機能機１０から接続完了通知が受信されることを監視する（Ｓ３８２）。パターン３では、上記の所定時間が経過しても接続完了通知が受信されないために、制御部８０は、仮設定用領域９４に格納されているＷＳ２を消去し、ＷＳ１に従った無線接続を再構築すべきことを決定する（Ｓ３８８）。これにより、パターン３の場合には、多機能機１０は、ＷＳ１からＷＳ２に設定変更を行なわずに、ＷＳ１を維持し、通話デバイス７０もＷＳ１を維持する。従って、多機能機１０と通話デバイス７０との間でＷＳ１に従った無線接続が再構築される（Ｓ３９０）。
【００６５】
（パターン４）
なお、図示省略しているが、多機能機１０と通話デバイス７０の両方がＯＫ通知を受信しないパターンがあり得る。この場合、パターン３の場合と同様に、多機能機１０の設定部５６は、仮設定用領域４２に格納されているＷＳ２を消去し、ＷＳ１に従った無線接続を再構築すべきことを決定する（Ｓ３８６）。また、パターン２の場合と同様に、通話デバイス７０の制御部８０は、仮設定用領域９４に格納されているＷＳ２を消去し、ＷＳ１に従った無線接続を再構築すべきことを決定する（Ｓ３６２）。これにより、パターン４の場合には、多機能機１０は、ＷＳ１からＷＳ２に設定変更を行なわずに、ＷＳ１を維持し、通話デバイス７０もＷＳ１を維持する。従って、多機能機１０と通話デバイス７０との間でＷＳ１に従った無線接続が再構築される。
【００６６】
第３実施例の無線通信システム２について詳しく説明した。本実施例では、通話デバイス７０は、ＦＡＸデータを無線通信するための無線設定情報（本設定用領域９２内の無線設定情報）を、ＷＳ１からＷＳ２に変更する際に、受信完了通知３１２を多機能機１０に送信する（図６のＳ３４８）。多機能機１０は、通話デバイス７０から受信完了通知３１２が受信される場合に、ＷＳ１からＷＳ２に設定変更を行なう（図６のＳ３５２）。一方において、多機能機１０は、受信完了通知３１２が受信されない場合（パターン２〜パターン４の場合）に、ＷＳ１からＷＳ２に設定変更を行なわずに、ＷＳ１を維持する。また、パターン２〜パターン４の場合には、通話デバイス７０も、ＷＳ１を維持する。これにより、多機能機１０及び通話デバイス７０に異なる無線設定情報が設定されることを抑制することができる。従って、図６の受信完了通知３１２の受信の有無に関わらず、多機能機１０が、ＦＡＸデータを無線通信するための無線設定情報（本設定用領域３８内の無線設定情報）を、ＷＳ１からＷＳ２に変更する構成と比べると、多機能機１０及び通話デバイス７０がＦＡＸデータを無線通信することができない事象が発生するのを抑制することができる。
【００６７】
また、本実施例では、多機能機１０は、ＷＳ２に従った無線接続を利用して、ＡＰ６を介して、通話デバイス７０から受信完了通知３１２を受信する。多機能機１０が受信完了通知３１２を受信するということは、多機能機１０及び通話デバイス７０がＷＳ２に従って無線通信可能であることを意味する。即ち、本実施例によると、多機能機１０及び通話デバイス７０がＷＳ２に従って無線通信可能であることが確認される場合に、多機能機１０は、ＷＳ１からＷＳ２に設定変更を行なうことができる。なお、本実施例では、受信完了通知３１２が、「所定の信号」の一例である。また、接続完了通知３１０が、「特定の信号」の一例である。
【００６８】
（第３実施例の変形例）
第３実施例では、多機能機１０は、ＡＰ６からＯＫ通知が受信される場合に、接続完了通知３１０を通話デバイス７０に送信し、通話デバイス７０は、接続完了通知３１０が受信される場合に、受信完了通知３１２を多機能機１０に送信する。本変形例では、第３実施例の構成と逆の構成を採用する。即ち、通話デバイス７０の制御部８０は、ＡＰ６からＯＫ通知が受信される場合に、ＷＳ２に従った無線接続を利用して、ＡＰ６を介して、接続完了通知を通話デバイス７０に送信する。多機能機１０の第２の送信部６０は、接続完了通知が受信される場合に、ＷＳ２に従った無線接続を利用して、ＡＰ６を介して、受信完了通知を通話デバイス７０に送信する。多機能機１０の設定部５６は、通話デバイス７０から接続完了通知が受信される場合に、本設定用領域３８に格納されているＷＳ１を消去し、本設定用領域３８にＷＳ２を新たに格納する。これにより、多機能機１０がＦＡＸデータを無線通信するための無線設定情報として、多機能機１０にＷＳ２が新たに設定される。また、通話デバイス７０の制御部８０は、多機能機１０から受信完了通知が受信される場合に、本設定用領域９２に格納されているＷＳ１を消去し、本設定用領域９２にＷＳ２を新たに格納する。これにより、通話デバイス７０がＦＡＸデータを無線通信するための無線設定情報として、通話デバイス７０にＷＳ２が新たに設定される。本変形例では、通話デバイス７０から多機能機１０に送信される接続完了通知が、「所定の信号」の一例である。
【００６９】
上記の各実施例の変形例を以下に列挙する。
（１）上記の各実施例は、アドホックの無線設定情報ＷＳ１からインフラストラクチャの無線設定情報ＷＳ２に設定変更が行なわれる例を開示している。ただし、上記の各実施例の技術は、インフラストラクチャの無線設定情報ＷＳ２からアドホックの無線設定情報ＷＳ１に設定変更が行なわれる構成にも適用することができる。また、インフラストラクチャの無線設定情報ＷＳ２からインフラストラクチャの無線設定情報ＷＳ３に設定変更が行なわれる構成にも適用することができる。同様に、上記の各実施例の技術は、アドホックの無線設定情報ＷＳ１からアドホックの無線設定情報ＷＳ４に設定変更を行なう場合にも適用することができる。なお、ＷＳ２からＷＳ１に設定変更が行なわれる場合、及び、ＷＳ１からＷＳ４に設定変更が行なわれる場合には、ＡＰ６との無線接続を構成することを試行する処理（例えば図２のＳ１６、図３のＳ５４等）は実行されない。即ち、通話デバイス７０は、ＷＳ１が受信される場合に、受信完了通知を多機能機１０に送信し、ＷＳ２からＷＳ１に設定変更を行なってもよい。多機能機１０は、受信完了通知が受信される場合に、ＷＳ２からＷＳ１に設定変更を行なってもよい。また、通話デバイス７０は、ＷＳ４が受信される場合に、受信完了通知を多機能機１０に送信し、ＷＳ１からＷＳ４に設定変更を行なってもよい。多機能機１０は、通話デバイス７０から受信完了通知が受信される場合に、ＷＳ１からＷＳ４に設定変更を行なってもよい。本変形例では、通話デバイス７０から多機能機１０に送信される受信完了通知が、「所定の信号」の一例である。
【００７０】
（２）上記の各実施例では、多機能機１０と通話デバイス７０との間で通信される対象のデータは、ＦＡＸデータである。即ち、一般的に言うと、ＦＡＸデータが、「特定のデータ」の一例である。しかしながら、「特定のデータ」は、ＦＡＸデータに限られず、音声データ（例えば留守番電話の音声データ）、ＰＳＴＮ８を介して通信されるＦＡＸデータ以外の画像データ、その他の種類のデータ（例えばテキストデータ）であってもよい。
【００７１】
（３）また、上記の各実施例では、図２のＳ１０、図５のＳ２１０、及び、図６のＳ３１０では、多機能機１０の操作部１２を介して、ＷＳ２を入力するための設定変更操作が実行される。しかしながら、例えば、多機能機１０が有線インターフェイス２２を介して有線ＬＡＮに接続されている場合には、有線ＬＡＮに接続されている図示省略の特定のＰＣの操作部を介して、ＷＳ２を入力するための設定変更操作が実行されてもよい。この場合、上記の特定のＰＣは、有線ＬＡＮを介して、ＷＳ２を多機能機１０に送信してもよい。多機能機１０は、上記の特定のＰＣからＷＳ２が受信される場合に、ＷＳ１をＷＳ２に変更するための指示が入力されたと判断してもよい。
【００７２】
（４）また、第１実施例では、図４に示されるように、通話デバイス７０は、接続完了通知１２２を送信した後に（Ｓ９２の後に）、ＷＳ１からＷＳ２に設定変更を行なう（Ｓ９６）。この構成に代えて、通話デバイス７０は、Ｓ９６の処理を先に実行し、その後にＳ９２の処理を実行してもよい。同様に、第２実施例において、通話デバイス７０は、図５のＳ２９６の処理を先に実行し、その後にＳ２９２の処理を実行してもよい。同様に、第３実施例において、通話デバイス７０は、図６のＳ３５４の処理を先に実行し、その後にＳ３４８の処理を実行してもよい。即ち、一般的に言うと、「所定の信号」は、第２の無線通信装置が第１の無線設定情報を第２の無線設定情報に変更する前に、第１の無線通信装置に送信されてもよいし、第２の無線通信装置が第１の無線設定情報を第２の無線設定情報に変更した後に、第１の無線通信装置に送信されてもよい。
【００７３】
（５）また、第１実施例では、図３のＳ４６で多機能機１０から送信されるＷＳ２を通話デバイス７０が受信することを前提としているが（図３のＳ４８，Ｓ５０）、第２実施例のように、通話デバイス７０は、ＷＳ２を受信する場合に、受信完了通知を多機能機１０に送信してもよい。多機能機１０は、通話デバイス７０から受信完了通知が受信され、かつ、接続完了通知１２２が受信される場合（図４のＳ９４）に、ＷＳ２を本設定用領域３８に格納する処理（図４のＳ９８の処理）を実行してもよい。多機能機１０は、受信完了通知が受信されない場合、又は、接続完了通知が受信されない場合に、ＷＳ２を本設定用領域３８に格納する処理（図４のＳ９８の処理）を実行しなくてもよい。
【００７４】
（６）また、上記の各実施例では、通話デバイス７０が多機能機１０の付属機である場合を例に説明したが、これに限らない。例えば、通話デバイス７０の代わりにＰＣを用いてもよい。具体的には、多機能機１０とＰＣとがＷＳ１に従って無線通信する場合に、ユーザは、多機能機１０において、設定変更操作を実行してもよい。これにより、多機能機１０とＰＣとが、上記の各実施例の各処理を実行し、設定変更を行なってもよい。この場合、例えば、ＰＣが多機能機１０に印刷の実行を指示するための印刷データが「特定のデータ」の一例である。
【００７５】
（７）また、上記の各実施例では、通話デバイス７０がＰＳＴＮ８に接続される場合を例に説明したが、これに限らない。即ち、多機能機１０がＰＳＴＮ８に接続され、ユーザが多機能機１０において、設定変更操作を実行してもよい。
【００７６】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
【００７７】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【符号の説明】
【００７８】
ＷＳ１：無線設定情報、ＷＳ２：無線設定情報、２：無線通信システム、１０：多機能機、７０：通話デバイス、１２２：接続完了通知、２１２：受信完了通知、３１０：接続完了通知、３１２：受信完了通知
【図１】
0005482849.tif 000002
【図２】
0005482849.tif 000003
【図３】
0005482849.tif 000004
【図４】
0005482849.tif 000005
【図５】
0005482849.tif 000006
【図６】
0005482849.tif 000007
【図７】
0005482849.tif 000008